(57)【要約】【課題】  アンテナ面積やアンテナへの供給電力が制約される場合であっても通信距離を伸ばすことが可能な誘導式読書き装置用小型ループアンテナを提供することである。【解決手段】  誘導式読書き装置用小型ループアンテナを、ループパターン１を形成するためのプリント基板２と、プリント基板２をエッチング処理等によって形成されたループパターン１と、信号送信のための電力供給や受信した信号を出力するための起点端子３及び終点端子４とを備えたループアンテナを所定の間隔だけ保持するようにして２層に積層した構成にする。【選択図】図１
2005218021.tif 000002
【特許請求の範囲】
【請求項１】
誘導式読書き装置に使用するループアンテナであって、
少なくとも一回巻き以上の渦巻状に形成された二以上のループパターンを所定の間隔に保った状態で積層し、
前記積層された全てのループパターンの各起点を相互に接続し、前記積層された全てのループパターンの各終点を相互に接続することによって前記積層されたループパターンが全て並列に接続されていることを特徴とする誘導式読書き装置用小型ループアンテナ。
【請求項２】
１つの基板上には１つの前記ループパターンが形成された二以上の基板を所定の間隔に保った状態で積層して配置することを特徴とする請求項１に記載の誘導式読書き装置用小型ループアンテナ。
【請求項３】
前記ループパターンは一つの基板上に所定の間隔を保った状態で積層して配置されることを特徴とする請求項１に記載の誘導式読書き装置用小型ループアンテナ。
【請求項４】
前記積層されたループパターンの各起点間の接続を選択的におこなう起点間接続切替え部と、
前記積層されたループパターンの各終点間の接続を選択的におこなう終点間接続切替え部と、
を更に有することを特徴とする請求項１から３のいずれか一項に記載の誘導式読書き装置用小型ループアンテナ。
【請求項５】
前記起点間接続切替え部及び前記終点間接続切替え部は、通信距離に応じて切替えをおこなうことを特徴とする請求項４に記載の誘導式読書き装置用小型ループアンテナ。
【発明の詳細な説明】
【技術分野】
【０００１】
本発明は、小型ループアンテナに関する。
【背景技術】
【０００２】
従来から基本的なアンテナとしてループアンテナが使用されてきた。ループアンテナは、簡単な構造であるため小型化が容易であり、低価格で実現可能であることから誘導式読書き装置においても従来より使用されている。
【０００３】
また、近年では誘導式読書き装置（例えば、非接触型カードなど）が実用化されている。例えばＩＳＯ規格のＩＳＯ１４４４３やＩＳＯ１５６９３などによる非接触型カードである。なかでも、通信距離が１０ｃｍ以下で行なわれる非接触型カードでは、ＩＳＯ１４４４３の通信方式が多く採用されている。また、ＩＳＯ１５６９３の規格は７０ｃｍ以下程度の通信距離があるのでＲＦ−ＩＤ（Ｒａｄｉｏ  Ｆｒｅｑｕｅｎｃｙ  Ｉｄｅｎｔｉｆｉｃａｔｉｏｎ）として利用される装置が多い。誘導式読書き装置にループアンテナを実装する場合には、プリント基板を使用して複数回巻きにされた渦巻状のパターンをエッチングすることによってループアンテナを形成しているのが一般的である。
【０００４】
例えば、図５にはループアンテナの構成の従来例を示している。
同図（ａ）は、ループアンテナの上面図を示しており、ループパターン２９が形成されたプリント基板３０と、プリント基板３０上にエッチング処理等によって形成されたループパターン２９と、信号送信のための電力供給や受信した信号を出力するための起点端子３１及び終点端子３２とを備えたループアンテナである。
【０００５】
ここで、同図に示した構成例には、渦状に２巻き（２ターン）してループを形成した場合のループパターン２９の例を示している。
同図（ｂ）には、同図（ａ）に示したループアンテナの断面図を示している。同図に示すように、従来より用いられているループアンテナは、１つの基板上に渦状にしてループパターンを形成するために大きさの異なるループを複数形成することとなる。
【０００６】
特許文献１では、中心を同じくし、同一平面上に配置されたループ半径の異なる複数のループアンテナ素子を組み合わせて成るループアンテナについて開示されている。また、特許文献２では、ＩＣカード等に適用し、アンテナより電力の供給を受ける構成においてもアンテナの効率を向上させ、通信可能な距離を増大させるために、複数回の巻き線の結合が疎になるようにして構成されたループアンテナについて開示されている。
【特許文献１】特開昭５４−００８４４１号公報
【特許文献２】特開平１１−２７２８２６号公報
【発明の開示】
【発明が解決しようとする課題】
【０００７】
図５に示したループアンテナのように複数回巻きにされた渦巻状のループを形成するループアンテナでは、例えばループアンテナが実装される送信機または受信機のサイズやバッテリの容量などの設計上の制約等からアンテナ面積（ループアンテナのループパターンが形成するループ内を鎖交磁束が通過する面積）やアンテナに供給できる電力が制約されてしまう。それら許容されるアンテナ面積や供給電力等によって、アンテナ面に対する垂直方向への電界強度の増加は困難であり、読書きの距離（通信距離）の増大は望めない。
【０００８】
ここで、例えば図５に示したアンテナにおいて一枚の基板上のループパターンを更に４〜５巻と増加してエッチングすることも考えられるが、電界強度としては、アンテナ面に対して水平方向には増すものの垂直方向には効果が無い（磁界は右ネジの法則に従い、パターン上に流れる電流の方向に対して右回転方向で発生するが、パターンが複数であっても水平方向に並ぶため、垂直方向には増加しない）。送信電力を上げることにより電波を強くする方法もあるが、アンテナへ電力を供給するための電源部のサイズが大きくなり、また発熱量も増し、さらにコストアップとなる等が問題となる。
【０００９】
しかしながら、小さいアンテナ面積かつ小さい電力により、通信距離を伸ばしたいという技術的な要請は近年ますます強くなってきている。
本発明は上述した問題に鑑みてなされたものであり、その解決しようとする課題は、アンテナ面積やアンテナへの供給電力が制約される場合であっても通信距離を伸ばすことが可能な誘導式読書き装置用小型ループアンテナを提供することである。
【課題を解決するための手段】
【００１０】
請求項１に記載の発明は、誘導式読書き装置に使用するループアンテナであって、少なくとも一回巻き以上の渦巻状に形成された二以上のループパターンを所定の間隔に保った状態で積層し、前記積層された全てのループパターンの各起点を相互に接続し、前記積層された全てのループパターンの各終点を相互に接続することによって前記積層されたループパターンが全て並列に接続されていることを特徴とする誘導式読書き装置用小型ループアンテナである。
【００１１】
請求項１に記載の発明によると、前記積層されたループパターンの各起点を相互に接続し、かつ前記積層されたループパターンの各終点を相互に接続することによって、前記ループパターンは並列に接続されるので、全てのループパターンには同方向の電流が流れ、前記各ループパターンには同方向に磁界が発生するので磁界の重ね合わせによって磁界強度が増加する作用により通信距離が大きくなる効果を奏する。
【００１２】
また、前記ループアンテナによって信号を送信する送信部に対して前記積層されたループパターンは並列に接続される回路を構成するため、前記送信部から前記ループアンテナに供給する電力もほとんど増加しない効果を奏する。
【００１３】
請求項２に記載の発明は、１つの基板上には１つの前記ループパターンが形成された二以上の基板を所定の間隔に保った状態で積層して配置することを特徴とする請求項１に記載の誘導式読書き装置用小型ループアンテナである。
【００１４】
請求項２に記載の発明によると、請求項１に記載の発明と同様の効果を奏する。すなわち、前記積層された基板上に形成されたループパターンの各起点が相互に接続され、かつ前記積層された基板上に形成されたループパターンの各終点が相互に接続されることによって、前記ループパターンには同方向の電流が流れ、前記各パターンには同方向に磁界が発生するので重ね合わせによって磁界強度が増加する作用により通信距離が大きくなる効果を奏する。
【００１５】
また、前記ループアンテナによって信号を送信する送信部に対して前記積層された基板上に形成されたループパターンは並列に接続される回路を構成するため、前記送信部から前記ループアンテナに供給する電力もほとんど増加しない効果を奏する。
【００１６】
請求項３に記載の発明は、前記ループパターンは一つの基板上に所定の間隔を保った状態で積層して配置されることを特徴とする請求項１に記載の誘導式読書き装置用小型ループアンテナである。
【００１７】
請求項３に記載の発明によると、請求項１に記載の発明と同様の効果を奏する。すなわち、前記積層されたループパターンの各起点が相互に接続され、かつ前記積層されたループパターンの各終点が相互に接続されることによって、前記ループパターンには同方向の電流が流れ、前記各パターンには同方向に磁界が発生するので重ね合わせによって磁界強度が増加する作用により通信距離が大きくなる効果を奏する。
【００１８】
また、前記ループアンテナによって信号を送信する送信部に対して前記積層された基板上に形成されたループパターンは並列に接続される回路を構成するため、前記送信部から前記ループアンテナに供給する電力もほとんど増加しない効果を奏する。
【００１９】
請求項４に記載の発明は、前記積層されたループパターンの各起点間の接続を選択的におこなう起点間接続切替え部と、前記積層されたループパターンの各終点間の接続を選択的におこなう終点間接続切替え部と、を更に有することを特徴とする請求項１から３のいずれか一項に記載の誘導式読書き装置用小型ループアンテナである。
【００２０】
請求項４に記載の発明によると、請求項１に記載の発明の効果に加えて、前記積層されたループパターンの各起点間の接続を選択的におこなう起点間接続切替え部と、前記積層されたループパターンの各終点間の接続を選択的におこなう終点間接続切替え部とによって、前記ループアンテナによって信号を送信する送信部に対して並列に接続されるループパターンの数の増減を調整することが可能となる効果を奏する。
【００２１】
請求項５に記載の発明は、前記起点間接続切替え部及び前記終点間接続切替え部は、通信距離に応じて切替えをおこなうことを特徴とする請求項４に記載の誘導式読書き装置用小型ループアンテナである。
【００２２】
請求項５に記載の発明によると、請求項１から４に記載の発明の効果に加えて、前記起点間接続切替え部及び前記終点間接続切替え部とにより前記送信部に対して並列に接続されるループパターンの数を少なくすることによって通信距離を短く設定することが可能となり、前記起点間接続切替え部及び前記終点間接続切替え部とにより前記送信部に対して並列に接続されるループパターンの数を増加させることによって通信距離を長く設定することが可能となる効果を奏する。
【発明の効果】
【００２３】
以上のように、本発明のいずれの態様によっても、アンテナ面積やアンテナへの供給電力が制約される場合であっても通信距離を伸ばすことが可能な誘導式読書き装置用小型ループアンテナを提供することが可能となる。
【発明を実施するための最良の形態】
【００２４】
以下、本発明の実施形態について図１から図４に基づいて説明する。
図１は、本発明の第一の実施形態に係るループアンテナの構成を示す図である。
同図（ａ）は、本発明の第一の実施形態に係るループアンテナの構成の上面を示す図である。
【００２５】
本実施例に係る誘導式読書き装置用小型ループアンテナは、第１のループパターン１が形成された第１のプリント基板２と、第１のプリント基板２上にエッチング処理等によって形成された第１のループパターン１と、信号送信のための電力供給や受信した信号を出力するための起点端子３及び終点端子４とを備えた第一層目のループアンテナと、第２のループパターン５が形成された第２のプリント基板６と、第２のプリント基板６上にエッチング処理等によって形成された第２のループパターン５と、信号送信のための電力供給や受信した信号を出力するための起点端子及び終点端子とを備えた図示しない第二層目のループアンテナとを所定の間隔だけ保持するようにして２層に積層されたループアンテナである。
【００２６】
同図（ｂ）は、本発明の第一の実施形態に係るループアンテナの構成の断面を示す図である。
第１のプリント基板２上に形成されたループパターン１の起点端子３と第２のプリント基板６上に形成されたループパターン５の図示しない起点端子とは互いに接続され、同様に第１のプリント基板２上に形成されたループパターン１の終点端子４と第２のプリント基板６上に形成されたループパターン５の図示しない終点端子とも互いに接続されており、第１のループパターン１に流れる電流の方向と第２のループパターン５に流れる電流の方向とが同じ方向であるように電力が供給される。
【００２７】
これにより、上記起点端子及び終点端子に接続されるループアンテナへ電力を供給する図示しない電力供給部に対して第１のループパターン１及び第２のループパターン５は並列に接続されることとなり、供給する電力の増加を抑えることが可能となる。
【００２８】
また、エッチング処理等により渦巻状に２巻きされたループパターン１が形成されている第１のプリント基板２と第２のプリント基板６とは所定の距離７を保持して積層されており、第１のプリント基板２と第２のプリント基板６との距離７はアンテナ全体の磁界強度（アンテナ面に対して垂直方向の磁界強度）が最大となるように距離を調整することによって得られる。本実施例では、縦約１０ｃｍ×横約１０ｃｍの正方形で構成されるアンテナ面積に対して所定の距離７が約２ｍｍである。
【００２９】
一見すると第１のプリント基板２と第２のプリント基板６との距離７を０にする場合にアンテナ全体の磁界強度が最大になるように思われるが、実際には第１のプリント基板２上に形成された第１のループパターン１が有する自己インダクタンス、第２のプリント基板６上に形成された第２のループパターン５が有する自己インダクタンス、及び第１のループパターン１と第２のループパターン５との相互インダクタンスによる影響等に起因して磁界強度が最大となる距離が変動すると考えられる。
【００３０】
例えば、第１のループパターン１に電流Ｉが流れることによって生じた磁束Φが第２のループパターン５内を通ると、第２のループパターン５が有する第１のループパターン１と第２のループパターン５との相互インダクタンスによって、第２のループパターン５に逆誘導起電力が生じるため第２のループパターン５を流れる電流Ｉは減少する。そのため、電流Ｉを流すことによって第２のループパターン５で発生する磁界強度は減少する。さらに、ループパターン５が形成するループ内を通過する鎖交磁束は、第１のループパターン１と第２のループパターン５との距離が小さい程大きくなる。したがって、第１のプリント基板２と第２のプリント基板６との距離７を単純に０にしてもアンテナ全体の磁界強度を最大にすることはできないと考えられる。
【００３１】
同図（ａ）及び（ｂ）に示す構成のようにループアンテナを多層に積層することによって、アンテナ面積に制限がある場合であっても通信距離が大きくなり、誘導式読書き装置においてはその読み書き可能な距離が大きくなる効果を得られる。
【００３２】
本実施例では、図１に示したようにループアンテナを２層に積層した場合の誘導式読書き装置用小型ループアンテナについて説明をしているが、本発明においてはループアンテナを２層に積層すことに限られない。すなわち、ループアンテナを２以上の多層に積層する構成であってもよい。本実施例で示した２層以上に積層することによって更に通信距離を大きくすることが可能となる。
【００３３】
また、同図に示した第１のループパターン１及び第２のループパターン５は２ターンの場合の形状を示したが、これに限定するものではない。１ターン以上の複数巻きのループパターンであってもよい。
【００３４】
また、基板には折り曲げ不可である硬質なプリント基板を使用しているが、例えば柔らかいベースフィルム（例えばＰＥＴ（ポリエチレンテレフタラート）フィルム等）上に銅などで配線して形成されるフィルム基板を使用してもよい。
【００３５】
図２は、本発明の第一の実施形態に係るループアンテナの磁界強度を示す図である。
同図は、アンテナ面からの距離と電界強度との関係を示しており、横軸にアンテナ面からの距離（単位はｍｍ）をとり、縦軸に磁界強度（単位はＡ／ｍ）をとった場合の特性曲線である。
【００３６】
同図において、実線８は従来より用いられている例えば図５に示したループアンテナの特性を示し、破線９は本実施例に係るアンテナの特性を示している。また、アンテナ面からの距離（ｍｍ）を示す横軸と平行に引かれた実線は、通信によって信号の読取りが可能な磁界強度の最小値（読取り下限値）を示している。この読取り下限値より電界強度が下回ると電界電力不足によって通信による信号の読取りが不可能となるので、読取り下限値より大きく磁界強度が保たれる範囲（同図に示す読取り下限値線の上側）のアンテナ面からの距離で通信による信号の読みとりが可能となる。
【００３７】
本実施例に係るアンテナを使用することによって、同図に示す距離（１）だけ通信距離が大きくなることがわかる。
図３は、本発明の第二の実施形態に係るループアンテナの構成を示す図である。
【００３８】
本実施例に係る誘導式読書き装置用小型ループアンテナは、ループパターンが形成された第１のプリント基板１０及びプリント基板１０上にエッチング処理等によって形成されたループパターン１１によって構成される第一層目のループアンテナ１２と、ループパターンが形成された第２のプリント基板１３及びプリント基板１３上にエッチング処理等によって形成されたループパターン１４によって構成される第二層目のループアンテナ１５と、ループパターンが形成された第３のプリント基板１６及びプリント基板１６上にエッチング処理等によって形成されたループパターン１７によって構成される第三層目のループアンテナ１８と、第一層目のループアンテナ１２の起点端子１９及び終点端子２０と第二層目のループアンテナ１５の起点端子２１及び終点端子２２と第三層目のループアンテナ１８の起点端子２３及び終点端子２４とが接続される第１の切替えスイッチ２５と、第二層目のループアンテナ１５の起点端子２１及び終点端子２２と第三層目のループアンテナ１８の起点端子２３及び終点端子２４とが接続される第２の切替えスイッチ２６と、を少なくとも有するアンテナである。
【００３９】
第一層目のループアンテナ１２と第二層目のループアンテナ１５と第三層目のループアンテナ１８とは所定の間隔を保持した状態で積層されており、その間隔はアンテナ全体の磁界強度（アンテナ面に対して垂直方向の磁界強度）が最大となるように距離を調整されている。
【００４０】
本実施例に示す図では、図示しない送信部又は受信部内にあって、第１の切替えスイッチ２５と第２の切替えスイッチ２６とを制御するため切替え制御部２８が各切替えスイッチと接続されて、通信距離に応じて各切替えスイッチの制御をおこなう。
【００４１】
ここで、切替え制御部２８は、トランジスタ等の論理回路によって構成されてもよいが、本実施例においては通信距離に応じて各切替えスイッチに切替え命令をおこなう機能を有し、送信部又は受信部内に備わるＣＰＵと、ＣＰＵに切替え制御をおこなわせるプログラム等を格納する不揮発性メモリ（例えばＥＥＰＲＯＭ）及びＣＰＵの演算等に使用するレジスタ又は揮発性メモリ（例えばＲＡＭ）等によって構成される。
【００４２】
また、第１の切替えスイッチ２５及び第２の切替えスイッチ２６は例えばトランジスタ等によって構成され、切替え制御部２８からの制御信号によって各切替えスイッチの状態がＯＮ状態またはＯＦＦ状態に切替えられる。
【００４３】
また、各層のループアンテナの起点及び終点は、図示しない送信部又は受信部内にあってアンテナに電力を供給するための電力増幅器２７が第１の切替えスイッチ２５及び第２の切替えスイッチ２６を介して接続されている。
【００４４】
第１の切替えスイッチ２５をＯＦＦ状態（したがって、第２の切替えスイッチ２６もＯＦＦの状態）の場合には、本実施例に係るループアンテナは第一層目のループアンテナ１２のみで構成されるアンテナとなる（すなわち、第二層目のループアンテナ１５及び第三層目のループアンテナ１８は送信部又は受信部から回路的に切り離された状態となる）。
【００４５】
また、第１の切替えスイッチ２５をＯＮ状態にし、第２の切替えスイッチ２６をＯＦＦ状態にすると第一層目のループアンテナ１２及び第二層目のループアンテナ１５とが所定の間隔を保持した状態で積層された構成のアンテナとなる（すなわち、第三層目のループアンテナ１８は送信部又は受信部から回路的に切り離された状態となる）。
【００４６】
さらに、第１の切替えスイッチ２５及び第２の切替えスイッチ２６を同時にＯＮ状態にした場合には、第一層目のループアンテナ１２と第二層目のループアンテナ１５と第三層目のループアンテナ１８とが互いに所定の間隔を保持した状態で積層された構成のアンテナとなる。
【００４７】
図４は、本発明の第二の実施形態に係るループアンテナの切替え方式の例を示す図である。
同図は、通信距離Ａ、Ｂ、ＣがＡ＜Ｂ＜Ｃの関係を有する場合に図３に示した切替え制御部２８によって第１の切替えスイッチ２５及び第２の切替えスイッチ２６を制御し、ループアンテナを一層から三層までの構成に切替えるためのテーブルの例を示している。また、同図に示すテーブルは、例えば切替え制御部２８が有するＲＯＭに予め格納され、逐次ＣＰＵが参照することによって制御される。
【００４８】
図示しないセンサからＣＰＵに対して通信距離がＣであると通知されると、ＣＰＵは上記テーブルが格納されているアドレスを参照し、第１の切替えスイッチ２５に対してＯＮ状態となるように制御信号を送り、第２の切替えスイッチ２６に対してもＯＮ状態となるように制御信号を送る。切替え制御部２８からの制御信号に応じて第１の切替えスイッチ２５及び第２の切替えスイッチ２６はＯＮ状態となり、第一層目のループアンテナ１２と第二層目のループアンテナ１５と第三層目のループアンテナ１８とが三層に積層されるアンテナを構成し、本実施例での構成で最大の通信距離を得ることができる。
【００４９】
同様にして、図示しないセンサからＣＰＵに対して通信距離がＢであると通知されると、ＣＰＵは上記テーブルが格納されているアドレスを参照し、第１の切替えスイッチ２５に対してはＯＮ状態となるように制御信号を送り、第２の切替えスイッチ２６に対してはＯＦＦ状態となるように制御信号を送る。切替え制御部２８からの制御信号に応じて第１の切替えスイッチ２５はＯＮ状態となり、第２の切替えスイッチ２６はＯＦＦ状態となり、第一層目のループアンテナ１２と第二層目のループアンテナ１５とが二層に積層されるアンテナを構成する。
【００５０】
さらに、図示しないセンサからＣＰＵに対して通信距離がＡであると通知されると、ＣＰＵは上記テーブルが格納されているアドレスを参照し、第１の切替えスイッチ２５及び第２の切替えスイッチ２６に対してはＯＦＦ状態となるように制御信号を送る。切替え制御部２８からの制御信号に応じて第１の切替えスイッチ２５及び第２の切替えスイッチ２６はＯＦＦ状態となり、第一層目のループアンテナ１２のみのアンテナを構成し、本実施例での構成で最小の通信距離となる。
【００５１】
以上の説明のように、必要に応じて通信距離を変化させることが可能となるので電力の消費を更に小さく抑えることが可能となる。また、電波が飛び過ぎることによって他の機器にまで影響を及ぼしてしまうことを防止することが容易にできるようになる。
【００５２】
以上の説明において、第１の切替えスイッチ２５及び第２の切替えスイッチ２６がＯＮ状態とは回路的に接続されている状態をいい、ＯＦＦ状態とは回路的に未接続である状態をいう。
【００５３】
また、以上の説明では切替え制御部２８によって通信距離に応じて自動的にアンテナの積層状態を切替えた場合の説明をしたが、自動的にアンテナの積層状態を切替える場合に限定されない。例えば第１の切替えスイッチ２５及び第２の切替えスイッチ２６をＤＩＰ−ＳＷＩＴＣＨ等で構成することによって手動で切替えをおこなってもよい。
【００５４】
また、ループアンテナを一層から三層までの構成に切替えるために、通信開始時の初期状態は三層構成にしておき、通信状態や通信距離に応じて構成を切替えるように第１の切替えスイッチ２５及び第２の切替えスイッチ２６を制御してもよい。
【００５５】
本発明の第一の実施例及び第二の実施例に係るループアンテナは、各基板に対して一つのループパターンを形成し、それらの基板を積層させることによってループアンテナを構成する例を示したが、この例に限定されるものではない。例えば、一つの基板上に二以上のループパターンを所定の間隔を保持するように積層することによってループアンテナを構成してもよい。この場合には、各ループパターンは例えば絶縁層を介して積層し、その絶縁層の厚さをアンテナ全体の磁界強度（アンテナ面に対して垂直方向の磁界強度）が最大となるよう調整すればよい。
【００５６】
また、一つの基板の表側と裏側とにループパターンを形成することによってループアンテナを構成してもよい。この場合には、基板の厚さをアンテナ全体の磁界強度（アンテナ面に対して垂直方向の磁界強度）が最大となるよう調整すればよい。
【００５７】
また、本発明の第一の実施例及び第二の実施例に係るループアンテナを構成するループパターンの形状及びサイズ（例えばループ全体のサイズや、ループを構成する導体パターンの厚さや幅等）は同一であることが望ましいが、これに限定されるものではない。サイズや形状が多少異なっている場合も、本発明の範囲内でありアンテナ面積やアンテナへの供給電力が制約される場合であっても通信距離を伸ばす効果を得ることができる。
【図面の簡単な説明】
【００５８】
【図１】本発明の第一の実施形態に係るループアンテナの構成を示す図である。
【図２】本発明の第一の実施形態に係るループアンテナの磁界強度を示す図である。
【図３】本発明の第二の実施形態に係るループアンテナの構成を示す図である。
【図４】本発明の第二の実施形態に係るループアンテナの切替え方式の例を示す図である。
【図５】ループアンテナの構成の従来例を示す図である。
【符号の説明】
【００５９】
１      第１のループパターン
２      第１のプリント基板
３      起点端子
４      終点端子
５      第２のループパターン
６      第２のプリント基板
７      所定の距離
８      従来例に係るアンテナ特性
９      本実施例に係るアンテナ特性
１０      第１のプリント基板
１１      ループパターン
１２      第一層目のループアンテナ
１３      第２のプリント基板
１４      ループパターン
１５      第二層目のループアンテナ
１６      第３のプリント基板
１７      ループパターン
１８      第三層目のループアンテナ
１９      起点端子
２０      終点端子
２１      起点端子
２２      終点端子
２３      起点端子
２４      終点端子
２５      第１の切替えスイッチ
２６      第２の切替えスイッチ
２７      電力増幅器
２８      切替え制御部
【図１】
2005218021.tif 000003
【図２】
2005218021.tif 000004
【図３】
2005218021.tif 000005
【図４】
2005218021.tif 000006
【図５】
2005218021.tif 000007